(57)【要約】【課題】ノイズ低減素子の設置スペースを確保しつつ、電動工具の小型化を実現する。【解決手段】ハンマドリル１Ａは、変換機構が収容される第１ハウジング３１と、電動モータ１０が収容される筒形状のモータハウジング部３３を備える第２ハウジング３２と、を有する。モータハウジング部３３の内部空間は、モータハウジング部３３と一体成形された隔壁３５によって、電動モータ１０が収容されるモータ収容室３６と、ノイズ低減素子７０が収容される素子収容室３７と、に径方向において区画される。モータハウジング部３３の開口部３３ａは、モータ収容室３６に連通する第１開口部と、素子収容室３７に連通する第２開口部と、を含む。【選択図】図２
2018187701.tif 000002
【特許請求の範囲】
【請求項１】
電動モータから出力される回転駆動力を変換機構によって往復駆動力に変換して先端工具に伝達する電動工具であって、
前記変換機構が収容される第１ハウジングと、
前記電動モータのステータコアが収容される第２ハウジングと、を有し、
前記第２ハウジングは、軸線方向一端に開口部が設けられた筒形状のモータハウジング部を備え、
前記第１ハウジングと、前記モータハウジング部の前記開口部が設けられている側の端部と、が連接され、
前記モータハウジング部の内部空間は、該モータハウジング部と一体成形された隔壁によって、前記電動モータが収容されるモータ収容室と、ノイズ低減素子が収容される素子収容室と、に径方向において区画され、
前記モータハウジング部の前記開口部は、前記モータ収容室に連通する第１開口部と、前記素子収容室に連通する第２開口部と、を含む、
電動工具。
【請求項２】
前記電動モータによって駆動される冷却ファンと、
前記冷却ファンを取り囲むファンガイドと、を有し、
前記モータハウジング部の前記第１開口部および前記第２開口部が前記ファンガイドによって閉塞されている、
請求項１に記載の電動工具。
【請求項３】
前記モータハウジング部は、前記開口部が設けられている側の端部の直径が最大となるように、軸線方向に沿って拡径している、
請求項１または２に記載の電動工具。
【請求項４】
前記第２ハウジングは、前記モータハウジング部と交差する方向に延びるグリップ部を含み、
前記モータハウジング部に対する前記グリップ部の延在方向を下方とし、前記モータハウジング部に対する前記グリップ部の延在方向と反対方向を上方としたとき、前記モータ収容室と前記素子収容室とは上下方向に重なっており、かつ、前記素子収容室は前記モータ収容室の下方に位置している、
請求項１〜３のいずれか一項に記載の電動工具。
【請求項５】
前記ステータコアは、中心軸と直交する断面内において前記中心軸に最も近接している外周面上の２点間を結ぶ線分の方向が前記上下方向と一致する向きで前記モータ収容室に収容されている、
請求項４に記載の電動工具。
【請求項６】
前記ステータコアは、ステータと該ステータの内側に設けられた複数のコイルとを備え、
それぞれの前記コイルの端部は、前記ステータから前記開口部の側に引き出され、該ステータの径方向外側に至っている、
請求項５に記載の電動工具。
【請求項７】
前記グリップ部に設けられたトリガスイッチを有し、
前記ステータの一部と前記トリガスイッチの一部とが前記モータハウジング部の軸線方向において重なり合っている、
請求項６に記載の電動工具。
【発明の詳細な説明】
【技術分野】
【０００１】
本発明は、ハンマドリルやインパクトドライバなどの電動工具に関する。
【背景技術】
【０００２】
ハンマドリルやインパクトドライバなどの電動工具は、先端に装着された工具（先端工具）に打撃力を与えたり、打撃力および回転力を与えたりする。このような電動工具は、ケーシングと、ケーシング内に収容されたシリンダと、電動モータと、を有する。シリンダ内には、ピストン，打撃子，中間子，先端工具が該シリンダの中心線に沿って往復動可能に挿入されており、ピストンと打撃子との間には空気室が形成されている。電動モータから出力される回転駆動力は、変換機構によって往復駆動力に変換されてピストンに伝達される。シリンダ内でピストンが往復動すると空気室の圧力が変動し、この圧力変動に伴って発生する打撃力が打撃子および中間子を介して先端工具に伝達される。また、電動モータから出力される回転駆動力がシリンダに伝達され、シリンダと先端工具とが一体的に回転する電動工具もある。このような電動工具では、先端工具に打撃力のみが伝達される第１動作モードと先端工具に打撃力および回転力の双方が伝達される第２動作モードとが用意される。第１動作モードと第２動作モードとは任意に切り替え可能とされ、第１動作モードが選択されると、電動モータから出力される回転駆動力の全てが往復駆動力に変換されてピストンに伝達される。一方、第２動作モードが選択されると、電動モータから出力される回転駆動力の一部が往復駆動力に変換されてピストンに伝達され、電動モータから出力される回転駆動力の他の一部がシリンダに伝達される。
【０００３】
上記のような電動工具には、電磁妨害波規格（例えば、CISPR publication 14）に適合させるために、ノイズ低減素子（“雑防素子”と呼ばれることもある。）が設けられることがある。例えば、チョークコイルおよびＣＲ複合部品からなるノイズ低減素子が、電動モータのステータコアの外周面と該ステータコアが収容されているモータハウジングの内周面との間の空間に設置されることがある。この際、ノイズ低減素子に対する絶縁性を高めるために、ノイズ低減素子が絶縁チューブで被覆される場合がある。
【先行技術文献】
【特許文献】
【０００４】
【特許文献１】特開２００６−１４２４０４号公報
【発明の概要】
【発明が解決しようとする課題】
【０００５】
従来、ステータコアの外周面とモータハウジングの内周面との間にノイズ低減素子の設置スペースを確保するためには、モータハウジングを大型化（大径化）する必要があった。特に、絶縁チューブで被覆されているノイズ低減素子を設置するためには、絶縁チューブで被覆されていないノイズ低減素子を設置する場合よりも広い設置スペースが必要になり、モータハウジングをさらに大型化する必要があった。しかし、モータハウジングの大型化はケーシングの大型化を招き、ひいては電動工具全体の大型化を招く。
【０００６】
本発明の目的は、ノイズ低減素子の設置スペースを確保しつつ、電動工具の小型化を実現することである。
【課題を解決するための手段】
【０００７】
本発明の電動工具は、電動モータから出力される回転駆動力を変換機構によって往復駆動力に変換して先端工具に伝達する。さらに、本発明の電動工具は、前記変換機構が収容される第１ハウジングと、前記電動モータが収容される第２ハウジングと、を有する。前記第２ハウジングは、軸線方向一端に開口部が設けられた筒形状のモータハウジング部を備える。前記第１ハウジングと、前記モータハウジング部の前記開口部が設けられている側の端部と、が連接される。前記モータハウジング部の内部空間は、該モータハウジング部と一体成形された隔壁によって、前記電動モータが収容されるモータ収容室と、ノイズ低減素子が収容される素子収容室と、に径方向において区画される。前記モータハウジング部の前記開口部は、前記モータ収容室に連通する第１開口部と、前記素子収容室に連通する第２開口部と、を含む。
【発明の効果】
【０００８】
本発明によれば、ノイズ低減素子の設置スペースを確保しつつ、電動工具の小型化を実現することができる。
【図面の簡単な説明】
【０００９】
【図１】実施形態１に係るハンマドリルの全体構造を示す断面図である。
【図２】実施形態１に係るハンマドリルの部分拡大断面図である。
【図３】実施形態１に係るハンマドリルにおけるステータコアの収容状態を示す断面図である。
【図４】実施形態１に係るハンマドリルに搭載されるノイズ低減素子の回路図である。
【図５】実施形態２に係るハンマドリルの全体構造を示す断面図である。
【図６】実施形態２に係るハンマドリルの部分拡大断面図である。
【図７】実施形態２に係るハンマドリルにおけるステータコアの収容状態を示す断面図である。
【発明を実施するための形態】
【００１０】
（実施形態１）
以下、本発明の実施形態の一例について、図面を参照しながら詳細に説明する。本実施形態に係る電動工具は、図１に示されるハンマドリル１Ａである。ハンマドリル１Ａは、電動モータ１０から出力される駆動力によって先端工具２０を回転させる機能と、先端工具２０を打撃する機能と、を有する。先端工具２０の一例としてドリルビットが挙げられる。ドリルビットは、コンクリートや石材などに穴を開けたり、コンクリートや石材などにハツリを施したりするときに用いられる。もっとも、先端工具２０は、対象物や対象物に対する作業の種類などに応じて適宜交換される。
【００１１】
ハンマドリル１Ａは、工具本体としてのケーシング３０を有する。ケーシング３０は、一体化された第１ハウジング３１および第２ハウジング３２からなる。第１ハウジング３１は全体として筒形状を有し、軸線方向一端に前方開口部３１ａが設けられ、軸線方向他端に後方開口部３１ｂが設けられている。一方、第２ハウジング３２は、一端が第１ハウジング３１に連接される筒形状のモータハウジング部３３と、モータハウジング部３３の他端から該モータハウジング部３３と交差する方向に延びるグリップ部３４とを備えており、全体として略Ｌ字形状を有する。モータハウジング部３３は、電動モータ１０の外周を覆うように設けられ、軸線と直交する方向から見たときに、電動モータ１０の少なくとも一部と重なる。モータハウジング部３３が筒形状であるのに対し、グリップ部３４は紙面奥側に設けられる第１グリップ部３４ａと、手前側に設けられる図示しない第２グリップ部とが組み合わされて形成される、二つ割り構造である。グリップ部３４を構成する第１グリップ部３４ａと第２グリップ部のうち、第１グリップ部３４ａはモータハウジング部３３と一体で成形されている。グリップ部３４にはトリガスイッチ２が設けられている。また、第１ハウジング３１の先端側には、グリップ部３４と略平行に延びるサブグリップ３が設けられている。
【００１２】
以下の説明では、モータハウジング部３３に対するグリップ部３４の延在方向を下方とし、モータハウジング部３３に対するグリップ部３４の延在方向と反対方向を上方とする。つまり、図１の紙面上下方向をハンマドリル１Ａの上下方向とする。また、図１の紙面左右方向をハンマドリル１Ａの前後方向とする。さらに、図１の紙面上方をハンマドリル１Ａの上方、紙面下方をハンマドリル１Ａの下方、紙面右方向を“前方”、紙面左方向を“後方”とする。
【００１３】
図２に示されるように、モータハウジング部３３の一端には開口部３３ａが設けられている。開口部３３ａが設けられている側のモータハウジング部３３の端部（以下“開口側端部”と呼ぶ場合がある。）は、第１ハウジング３１の後方開口部３１ｂの内側に挿入されている。つまり、第１ハウジング３１の後方開口部３１ｂが設けられている側の端部（後端部）と、モータハウジング部３３の開口部３３ａが設けられている側の端部（前端部）と、は連接されている。
【００１４】
もっとも、第１ハウジング３１の内部空間と第２ハウジング３２（モータハウジング部３３）の内部空間とは、開口部３３ａの内側に配置されたファンガイド４１によって仕切られている。言い換えれば、モータハウジング部３３の開口部３３ａは、ファンガイド４１によって閉塞されている。尚、ファンガイド４１は、電動モータ１０によって駆動され主に電動モータ１０を冷却するための冷却風を発生させる冷却ファン４０を取り囲んでいる。
【００１５】
図１に示されるように、第１ハウジング３１の内部空間には、径方向内側に向けて延びるフランジ４２ａを備えるインナーカバー４２が設けられている。フランジ４２ａは、冷却ファン４０およびファンガイド４１と対向するとともに、ファンガイド４１に当接してファンガイド４１を位置決めしている。
【００１６】
一方、第２ハウジング３２（モータハウジング部３３）に収容されている電動モータ１０は、ステータコア１１と、回転軸１２が固定されたロータ（不図示）と、を有する。図３に示されるように、ステータコア１１は、ステータ１６および該ステータ１６の内側に設けられた複数のコイル１７を備えている。本実施形態におけるステータ１６は、互いに突き合わされた２つのステータ半体１６ａ，１６ｂからなる。ステータ半体１６ａ，１６ｂには、それぞれ巻付部１８が一体成形されており、それぞれの巻付部１８に導線が巻き付けられて２つのコイル１７ａ，１７ｂが形成されている。２つの巻付部１８は互いに対向しており、結果、それぞれの巻付部１８に巻かれているコイル１７ａ，１７ｂも互いに対向している。
【００１７】
再び図１を参照する。電動モータ１０の回転軸１２は、ロータを貫通してステータコア１１の軸方向両側からそれぞれ突出している。ステータコア１１から突出している回転軸１２の一端側（後端側）は軸受１３によって回転自在に支持され、回転軸１２の他端側（先端側）は別の軸受１４によって回転自在に支持されている。さらに、回転軸１２の先端側は冷却ファン４０およびインナーカバー４２のフランジ４２ａを貫通して第１ハウジング３１内に進入しており、この回転軸１２の先端に駆動ギヤ１５が形成されている。
【００１８】
第１ハウジング３１の内部には、回転軸１２と平行で、かつ、回転自在な中間軸５０が設けられている。中間軸５０は、電動モータ１０から出力される回転駆動力を往復駆動力に変換する変換機構６５の構成要素の１つである。中間軸５０には２つのギヤ５１、５２が設けられており、一方のギヤ５１は駆動ギヤ１５と噛み合っている。
【００１９】
さらに、第１ハウジング３１の内部には、中間軸５０と平行なシリンダ６０が設けられている。シリンダ６０の内部にはピストン６１，打撃子６２および中間子６３が、この順で後方から前方に向かって一列に並んで配置されており、ピストン６１と打撃子６２との間には空気室６４が形成されている。
【００２０】
第１ハウジング３１の内部であってシリンダ６０の周囲（下方）には変換機構６５が収容されている。変換機構６５は、回転軸１２の回転運動をピストン６１の往復運動に変換する。具体的には、変換機構６５は、中間軸５０と、中間軸５０に取り付けられた内輪と、連結棒を有する外輪と、内輪と外輪との間に介在する転動体とを有し、内輪はギヤ５２とスプライン嵌合している。電動モータ１０から出力され、駆動ギヤ１５およびギヤ（従動ギヤ）５１を介して中間軸５０に伝達される回転駆動力によって中間軸５０が回転するとギヤ５２が回転する。ギヤ５２が回転すると、ギヤ５２とスプライン嵌合している内輪が回転する。すると、外輪が内輪上を移動し、外輪に設けられている連結棒が揺動する。かかる連結棒の揺動に伴ってピストン６１がシリンダ６０内で前後に往復動する。中間軸５０には、シリンダ６０の外周に設けられているギヤと常に噛み合っている第３のギヤが設けられており、中間軸５０の回転に伴ってシリンダ６０が回転し、先端工具２０が回転する。
【００２１】
尚、電動モータ１０のＯＮ／ＯＦＦが作業者によるトリガスイッチ２の操作によって切り替えられることは自明である。また、本実施形態のハンマドリル１Ａには、電動モータ１０の回転方向を切り換える正逆転スイッチも設けられている。正逆転スイッチを操作すると、電動モータ１０に供給される電流の向きが変化し、電動モータ１０の回転方向が反転する。
【００２２】
図２，図３に示されるように、モータハウジング部３３の内部空間は、モータハウジング部３３と一体成形された隔壁３５によって、電動モータ１０が収容されるモータ収容室３６と、ノイズ低減素子７０（図３では省略されている。）が収容される素子収容室３７と、に径方向において区画されている。同時に、モータハウジング部３３の開口部３３ａは、隔壁３５によって、モータ収容室３６に連通する第１開口部３６ａと、素子収容室３７に連通する第２開口部３７ａと、に径方向において区画されている。言い換えれば、開口部３３ａは、モータ収容室３６に連通する第１開口部３６ａと、素子収容室３７に連通する第２開口部３７ａと、を含む。つまり、モータハウジング部３３には、前方が開口したモータ収容室３６と、前方が開口した素子収容室３７と、が設けられている。そして、モータ収容室３６には電動モータ１０（ステータコア１１）が収容され、素子収容室３７にはノイズ低減素子７０が収容されている。ノイズ低減素子７０は、図４に示されるように、チョークコイルおよびＣＲ複合部品からなり、所定周波数の電磁波ノイズを除去する。
【００２３】
図３に示されるように、ステータコア１１は、その中心軸と直交する断面内において中心軸に最も近接している外周面上の２点間（Ａ，Ｂ）を結ぶ線分（Ａ−Ｂ）の方向が上下方向と一致する向きでモータ収容室３６に収容されている。以下の説明では、図３に示されているステータコア１１の向きを“横向き”と定義し、図示されている向きと９０度異なる向きを“縦向き”と定義する。つまり、ステータコア１１は、モータ収容室３６内に横向きで収容されている。
【００２４】
図３から明らかなように、上記断面内において中心軸から最も離反している外周面上の２点間（Ｃ，Ｄ）を結ぶ線分（Ｃ−Ｄ）は、ステータコア１１の中心において線分（Ａ−Ｂ）と直交する。以下の説明では、線分（Ａ−Ｂ）をステータコア１１の“短径”と呼び、線分（Ｃ−Ｄ）をステータコア１１の“長径”と呼ぶ場合がある。モータ収容室３６内に横向きで収容されているステータコア１１は、その短径方向が上下方向と一致しており、長径方向が左右方向と一致している。
【００２５】
ここで、ステータコア１１の短径方向両側の外周面は、長径方向両側の外周面に比べて平坦である。よって、ステータコア１１をモータ収容室３６に横向きで収容した場合、縦向きで収容した場合に比べて、モータハウジング部３３の内部であってモータ収容室３６の上下における空間的余裕が増大する。よって、ステータコア１１をモータ収容室３６に横向きで収容することは、モータ収容室３６の上や下に素子収容室３７を設ける上で有利である。
【００２６】
図２に示されるように、モータハウジング部３３は、開口部３３ａが設けられている側の端部（前端部）の直径が最大となるように、軸線方向に沿って拡径している。言い換えれば、モータハウジング部３３の直径は、開口部３３ａが設けられている側と反対側の端部（後端部）において最少となっている。この結果、素子収容室３７は、前方が広く（天井高が高く）、後方が狭く（天井高が低く）なっている。
【００２７】
本実施形態では、モータハウジング部３３の内部に、ノイズ低減素子７０を収容するための空間（素子収容室３７）が設けられている。さらに、素子収容室３７は、同じくモータハウジング部３３の内部に設けられているモータ収容室３６と隔壁３５によって仕切られている。よって、ノイズ低減素子７０に対する絶縁性を高めるために、ノイズ低減素子７０を絶縁チューブで被覆する必要がなく、ノイズ低減素子７０を裸のままでモータハウジング部３３の内部に設置することができる。このため、本実施形態のハンマドリル１Ａでは、モータハウジング部３３の直径を従来よりも縮小しつつ、ノイズ低減素子７０の収容空間が確保されている。さらに、ステータコア１１はその短径方向が上下方向と一致しており、モータハウジング部３３の直径は、トリガスイッチ２の上方に位置する後端部の上下方向において最少となっている。これにより、トリガスイッチ２が従来よりも上方かつ前方に配置されており、トリガスイッチ２が設けられているグリップ部３４も従来よりも上方かつ前方に配置されている。図２に示されるように、従来よりも前方に設置されたトリガスイッチ２の一部は、ステータ１６の一部とモータハウジング部３３の軸線方向において重なり合っている。このように、本実施形態のハンマドリル１Ａでは、ノイズ低減素子７０の収容空間を確保しつつ、従来製品よりも全長および全高の縮小が図られている。
【００２８】
モータハウジング部３３は電動モータ１０の外周を覆う筒形状に形成されているため、上下または左右に分割される２つ割り構造のハウジングと比較して堅牢性が高く、部品点数も少なくなり安価に製造できる。一方で、２つ割り構造と比較して開口部分が少ないため、内側に収容する電動モータ１０やノイズ低減素子７０の組付けに工夫が必要である。本実施形態では、モータ収容室３６の第１開口部３６ａと素子収容室３７の第２開口部３７ａとが、いずれもモータハウジング部３３の前方側に設けられているため、電動モータ１０とノイズ低減素子７０とをいずれも同方向から組付けることが可能となり、組立性が向上する。また、第１開口部３６ａと第２開口部３７ａとが、いずれも単一のファンガイド４１によって閉塞されているため、それぞれの開口部を閉塞するために別部品を設ける必要がなく、部品点数が削減され組立性が向上する。さらに、ファンガイド４１から後方側に延びる複数の脚部材を設け、一つの脚部材は電動モータ１０の少なくとも一部（例えばステータコア１１）に軸方向から当接してこれを固定し、別の脚部材はノイズ低減素子７０に軸方向から当接してこれを固定する構成としてもよく、この場合、電動モータ１０およびノイズ低減素子７０のそれぞれを固定する固定部材を別で設ける必要がなくなり、さらなる部品点数の削減と組立性の向上が実現できる。
【００２９】
図２に示されるように、それぞれのコイル１７ａ，１７ｂ（図３）の前方側（ステータコア１１の中心軸の軸方向における、開口部３３ａ側）の端部１９ａ，１９ｂは、ステータ１６からモータハウジング部３３の開口部３３ａの側に引き出され、ステータ１６の径方向外側に至っている。言い換えれば、コイル１７ａ，１７ｂの端部１９ａ，１９ｂは、ステータ１６から軸線方向前方に引き出された後、径方向外側に引き出されている。ステータ１６の径方向外側まで引き出されたコイル１７ａ，１７ｂの端部１９ａ，１９ｂは、その位置（ステータ１６の径方向外側）においてリードワイヤに接続されている。従来製品ではノイズ低減素子７０の収容スペースが大きく、モータハウジング部３３内の電動モータ１０の周囲に十分なスペースが無かった。このため、端部１９ａ，１９ｂは、ステータ１６の前方側に引き出されており、製品の全長が大型化していた。しかし、本実施形態ではノイズ低減素子７０の収容スペースが小型化されているため、端部１９ａ，１９ｂをステータ１６の径方向外側に引き出すことができ、製品の全長の縮小が図られている。また、モータハウジング部３３は、開口部３３ａが設けられている側の端部（前端部）の直径が最大となるように軸線方向に沿って拡径している。一方、コイル１７ａ，１７ｂは、前方側（開口部３３ａ側）の端部１９ａ，１９ｂのみがステータ１６の径方向外側に引き出されている。このため、電動モータ１０を開口部３３ａからモータハウジング部３３内に挿入して組付ける作業が容易になる。
【００３０】
また、ノイズ低減素子７０に接続されている配線は、ファンガイド４１と隔壁３５との間に挟まれている。言い換えれば、ファンガイド４１は、隔壁３５と協働して、ノイズ低減素子７０及びこれに接続されている配線を位置決めしている。
【００３１】
（実施形態２）
以下、本発明の実施形態の他の一例について図５〜図７を参照しながら説明する。もっとも、本実施形態に係る電動工具は、実施形態１に係るハンマドリル１Ａと同様の基本構成を備えるハンマドリルである。よって、既に説明した構成と同一または実質的に同一の構成については説明を省略する。また、既に説明した構成と同一または実質的に同一の構成については、図５〜図７中に同一の符号を付して説明に代える。
【００３２】
図５，図６に示されるように、本実施形態に係るハンマドリル１Ｂでは、モータハウジング部３３の内部空間が、２つの隔壁３５ａ，３５ｂによって３つの空間に仕切られている。３つの空間のうちの１つはモータ収容室３６であり、残りの２つは素子収容室３８，３９である。つまり、モータハウジング部３３の内部には、１つはモータ収容室３６と、２つの素子収容室３８，３９と、が設けられており、それぞれの素子収容室３８，３９にノイズ低減素子７１，７２（図７）が収容されている。さらに、素子収容室３８はモータ収容室３６の上方に設けられ、素子収容室３９はモータ収容室３６の下方に設けられている。言い換えれば、モータ収容室３６は、２つの素子収容室３８，３９に挟まれている。尚、素子収容室３９は実施形態１における素子収容室３７に相当し、ノイズ低減素子７２は実施形態１におけるノイズ低減素子７０に相当する。
【００３３】
このように、本実施形態に係るハンマドリル１Ｂには２つのノイズ低減素子７１，７２が設けられており、実施形態１に係るハンマドリル１Ａよりも高いノイズ低減効果が期待される。さらに、図６に示されるように、ステータコア１１をモータ収容室３６に横向きに収容することによってモータ収容室３６の上下に空間を確保し、その空間を利用してモータ収容室３６の上下に素子収容室３８，３９を設けてある。このため、モータハウジング部３３の径方向の寸法（特に、高さ方向の寸法）の拡大を抑制しつつ、２つのノイズ低減素子７１，７２がモータハウジング部３３の内部に設置されている。
【００３４】
本実施形態における素子収容室３８，３９も、モータ収容室３６に対して隔壁３５ａ，３５ｂによって仕切られている。よって、ノイズ低減素子７１，７２を絶縁チューブで被覆する必要はなく、ノイズ低減素子７１，７２は裸のままで素子収容室３８，３９内に設置されている。
【００３５】
本発明は前記実施の形態に限定されるものではなく、その要旨を逸脱しない範囲で種々変更可能である。例えば、本発明の電動工具には、先端工具に打撃力のみを与える電動工具（例えば、ハンマー）も含まれる。また、先端工具の他の一例として、ねじ部材を締め付けるためのドライバビットが挙げられる。
【符号の説明】
【００３６】
１Ａ，１Ｂ    ハンマドリル
２    トリガスイッチ
１０    電動モータ
１１    ステータコア
１６    ステータ
１６ａ，１６ｂ    ステータ半体
１７，１７ａ，１７ｂ    コイル
１９ａ，１９ｂ    端部
２０    先端工具
３０    ケーシング
３１    第１ハウジング
３１ａ    前方開口部
３１ｂ    後方開口部
３２    第２ハウジング
３３    モータハウジング部
３３ａ    開口部
３４    グリップ部
３５，３５ａ，３５ｂ    隔壁
３６    モータ収容室
３６ａ    第１開口部
３７，３８，３９    素子収容室
３７ａ    第２開口部
４０    冷却ファン
４１    ファンガイド
６５    変換機構
７０，７１，７２    ノイズ低減素子
【図１】
2018187701.tif 000003
【図２】
2018187701.tif 000004
【図３】
2018187701.tif 000005
【図４】
2018187701.tif 000006
【図５】
2018187701.tif 000007
【図６】
2018187701.tif 000008
【図７】
2018187701.tif 000009